(57)【要約】【課題】映像表示装置が備えている入力端子数以上の外部機器に対しても、当該装置にそれらの外部機器を直接接続しているのと同じ操作性で入力切替を簡単に行うことができる映像表示システムを提供する。【解決手段】映像表示装置と複数の外部機器とが接続され、前記映像表示装置に表示される入力切替メニュー上の外部機器を選択することにより、該外部機器からの入力信号を前記映像表示装置への入力信号に切り替える映像表示システムであって、前記外部機器は、自機器の入力端子に接続された他の外部機器の状態変化を検知して、自機器のすべての入力端子に接続された他の外部機器の状態を前記映像表示装置に送信し、前記映像表示装置は、前記外部機器から受信した該外部機器の入力端子に接続された他の外部機器の状態を記憶しておき、接続状態にあるすべての外部機器を入力信号の切替可能な選択項目として前記入力切替メニューに追加するようにしたものである。【選択図】図２
2009135846.tif 000002
【特許請求の範囲】
【請求項１】
映像表示装置と複数の外部機器とが接続され、前記映像表示装置に表示される入力切替メニュー上の外部機器を選択することにより、該外部機器からの入力信号を前記映像表示装置への入力信号に切り替える映像表示システムにおいて、前記外部機器は、自機器の入力端子に接続された他の外部機器の状態変化を検知して、自機器のすべての入力端子に接続された他の外部機器の状態を前記映像表示装置に送信し、前記映像表示装置は、前記外部機器から受信した該外部機器の入力端子に接続された他の外部機器の状態を記憶しておき、接続状態にあるすべての外部機器を入力信号の切替可能な選択項目として前記入力切替メニューに追加することを特徴とする映像表示システム。
【請求項２】
請求項１に記載の映像表示システムにおいて、前記外部機器の状態変化は、電源が入れられた状態の外部機器が前記映像表示装置に接続されたとき、接続済みの外部機器に電源が入れられたとき、外部機器の入力端子に接続された外部機器の状態が変化したとき、あるいは、外部機器から入力される信号の同期状態が変化したときであることを特徴とする映像表示システム。
【請求項３】
請求項１または２に記載の映像表示システムにおいて、前記映像表示装置と前記外部機器とはＨＤＭＩ（High-Definition Multimedia Interface）規格準拠のケーブルにより接続されており、ＣＥＣ（Consumer Electronics Control）プロトコル通信が可能であることを特徴とする映像表示システム。
【請求項４】
請求項１乃至３のいずれかに記載の映像表示システムにおいて、前記映像表示装置は、テレビジョン放送受信装置であることを特徴とする映像表示システム。
【発明の詳細な説明】
【技術分野】
【０００１】
本発明は、映像表示システムに関し、映像表示装置に任意台数の外部機器を接続する映像表示システムに関する。
【背景技術】
【０００２】
近年のテレビジョン放送受信装置では、複数の入力端子を具備し、ＶＴＲやＤＶＤ、ゲーム機器、有料放送用ＢＳデコーダ等の複数の外部機器が接続可能になっており、これら外部機器からの映像・音声信号も再生することができることが一般的である。
【０００３】
また、近年では、上記のようなテレビジョン放送受信装置に複数の外部機器を接続するときに、ＨＤＭＩ（High-Definition Multimedia Interface）端子が用いられることが増えている。このＨＤＭＩ端子を用いると、一本のケーブルで映像と音声を伝送することができ、また、ＣＥＣ（Consumer Electronics Control）プロトコルによる様々な機器間の連携が行えるようになっている。
【０００４】
しかし、一般に、テレビジョン放送受信装置に備えることのできる入力端子の数には限度があるので、テレビジョン放送受信装置が備えている端子数以上の数の外部機器を接続したい場合には、ＡＶセレクターのような映像音声信号を切り替える機能をもった周辺機器を用いるか、あるいは、複数の入力端子を備える外部機器を相互接続させることが必要になる。
【０００５】
このように接続した場合、外部機器の出力を表示したいときには、テレビジョン放送受信装置から外部機器への入力切替操作だけではなく、外部機器を操作するためにリモコンの操作を行わなければならず煩雑である。
また、このような接続を行っている場合には、機器間の接続方法をユーザが覚えている必要があり、非常に操作性がそこなわれる結果となっていた。
【０００６】
このような問題点を解決するために、特許文献１の映像受信システムでは、ユーザがテレビの入力切替操作を行わずとも、テレビのアップダウン選局操作のみで、テレビ内蔵のチューナと外部受信機の選局を連続的かつ循環的に行えるようにして、テレビの入力切替ボタンを押下する操作やテレビ以外のリモコンに持ち替えて接続された機器の選局を操作するという手間を不要にしている。
【特許文献１】特開２００４−３０４２２０号公報
【非特許文献１】HDMI Licensing LLC, High-Definition Multimedia Interface Specification Version 1.3a
【発明の開示】
【発明が解決しようとする課題】
【０００７】
しかしながら、特許文献１は、テレビ内蔵のチューナと外部受信機の選局に関するものであり、チューナを備えていない外部機器を接続する場合には適用することができない。
さらに、多数の外部受信機が接続された場合、すべてのチャンネルを循環して表示させなければ、所望のチャンネルを選択することはできない。
【０００８】
本発明は、上記のような実情を考慮してなされたものであって、映像表示装置が備えている入力端子数以上の外部機器に対しても、当該装置にそれらの外部機器を直接接続しているのと同じ操作性で入力切替を簡単に行うことができる映像表示システムを提供することを目的とする。
【課題を解決するための手段】
【０００９】
上記課題を解決するために、本発明の映像表示システムは、映像表示装置と複数の外部機器とが接続され、前記映像表示装置に表示される入力切替メニュー上の外部機器を選択することにより、該外部機器からの入力信号を前記映像表示装置への入力信号に切り替える映像表示システムであって、前記外部機器は、自機器の入力端子に接続された他の外部機器の状態変化を検知して、自機器のすべての入力端子に接続された他の外部機器の状態を前記映像表示装置に送信し、前記映像表示装置は、前記外部機器から受信した該外部機器の入力端子に接続された他の外部機器の状態を記憶しておき、接続状態にあるすべての外部機器を入力信号の切替可能な選択項目として前記入力切替メニューに追加するようにしたものである。
【００１０】
上記の外部機器の状態変化とは、
（１）電源が入れたれた状態で外部機器がＨＤＭＩ準拠のケーブルで前記映像表示装置に接続されたとき、
（２）ＨＤＭＩ準拠のケーブルで接続済みの外部機器に電源が入れられたとき、
（３）外部機器の入力端子に接続された外部機器のプラグ状態が変化したとき、
（４）外部機器から入力される信号の同期状態が変化したとき、
のことである。
【００１１】
ここで、前記映像表示装置と前記外部機器とはＨＤＭＩ（High-Definition Multimedia Interface）規格準拠のケーブルにより接続されており、ＣＥＣ（Consumer Electronics Control）プロトコル通信が可能である。また、この接続は、ＤＶＩやＩＥＥＥ１３９４に準拠したインタフェースも含んでいる。
特に、前記映像表示装置として、テレビジョン放送受信装置を用いるのが好適である。
【発明の効果】
【００１２】
本発明によれば、映像表示装置が備えている入力端子数以上の外部機器に対しても、当該装置にそれらの外部機器を直接接続しているのと同じ操作性で入力切替を簡単に行うことができる。
【発明を実施するための最良の形態】
【００１３】
以下、図面を参照して、本発明に係る映像表示システムの好適な実施形態について説明する。本実施形態として、映像表示装置をテレビジョン放送受信装置とした例について説明するが、これに限定されるものではなく、外部機器をＨＤＭＩ準拠のケーブルを用いて接続できる映像表示装置であれば適用可能である。
【００１４】
図１は、本実施形態のテレビジョン放送受信装置（以下、ＴＶと称する）の利用形態を示す図である。同図において、ＴＶ１１と外部機器１２〜１５とは、ともにＨＤＭＩ規格に準拠したＨＤＭＩ端子を有しており、ＨＤＭＩ規格に準拠したケーブル１６〜１９で接続されている。
このケーブル１６〜１９は、デジタル映像信号およびデジタル音声信号の送受信だけではなく、ＣＥＣプロトコルによる制御信号も送受信できるものである。
【００１５】
ここで、ＴＶ１１に２つの外部機器１２と１３がそれぞれケーブル１６と１７で接続されており、さらに、外部機器１２には複数の外部機器１４、１５がそれぞれケーブル１８と１９で接続されているものとして説明する。
また、ＴＶに外部接続する外部機器としては、ＨＤＭＩ規格に準拠して入力信号や出力信号を取り扱い可能なＤＶＤレコーダ、オーディオシステム、ＳＴＢ（Set Top Box）、アンプ、ゲーム機等が考えられる。
【００１６】
まず、テレビジョン放送受信装置（ＴＶ）１１の概略構成について説明する。
図２は、本発明が適用されるＴＶ１１の概略構成を示すブロック図である。図２において、ＴＶ１１は、アンテナ接続端子１０１、放送信号処理部１０２、ＨＤＭＩ信号処理部１０３、信号切替部１０４、音声処理部１０５、映像処理部１０６、音声出力部１０７、画面合成部１０８、映像出力部１０９、ＯＳＤ生成部１１０、制御部１１１、保存部１１２、メニュー生成部１１３、ユーザ入力受付部１１４、ＨＤＭＩ端子１１５〜１１８から構成される。
【００１７】
制御部１１１は、ＣＰＵ（Central Processing Unit）等を内蔵したマイクロプロセッサでなり、保存部１１２に記憶された制御プログラムや各種アプリケーションプログラムを実行することにより、当該ＴＶ１１における全体制御を行う。
その制御プログラムは、リモコン１４０から送出された操作情報を、ユーザ入力受付部１１４を介して受信し、その操作内容が反映されるように各部をそれぞれ制御する。
【００１８】
保存部１１２は、制御部１１１で実行される制御プログラム、各種アプリケーションプログラムやデータを格納したり、制御プログラムや各種アプリケーションプログラムが実行時に一時的にデータ等を格納するために使われ、電源を切られたときにも維持する情報には不揮発性メモリ（例えば、ＲＯＭ（Read Only Memory）、ＥＥＰＲＯＭ（Electrically Erasable and Programming ROM）、フラッシュメモリやハードディスクなど）を用い、一時的格納される情報には揮発性メモリ（例えば、ＲＡＭ（Random Access Memory））を用いる。
【００１９】
メニュー生成部１１３は、詳細は後述するが、外部接続された外部機器からＣＥＣプロトコルで受信した入力端子状態通知コマンドに基づいて更新された入力端子テーブルを用いて、入力信号の入力切替先を選択するためのメニューを生成する。
【００２０】
ユーザ入力受付部１１４は、ユーザからの指示を入力するためのリモコン１４０とのインタフェース部であり、リモコン１４０から光信号を受信し、受信した光信号を復調して通信データを取得して制御部１１１に送る。
リモコン１４０には、主として、電源キー、放送チャンネルのダイレクト選局キー、チャンネルアップダウン選局キー、選択キー、終了キー、戻るキー、メニューキー等が設けられており、各キーが押されると、押されたキーに関するキー情報を操作情報としてユーザ入力受付部１１４に送出する。
【００２１】
放送信号処理部１０２は、アンテナ接続端子１０１を介して送られてくるデジタルテレビジョン放送の放送波から、チューナにより所定のチャンネルの放送信号を取り出して復調し、多重化された音声信号および映像信号をそれぞれ分離し、音声信号は復号してデジタル音声信号を生成して、信号切替部１０４に出力する。また、映像信号は復号して量子化係数や動きベクトルを求め、逆離散コサイン変換や動きベクトルに基づく動き補償制御などを行って、デジタル映像信号を信号切替部１０４に出力する。
【００２２】
外部機器１２からＨＤＭＩ準拠のケーブルを介して供給されるＴＶ１１宛のデジタル信号は、ＨＤＭＩ端子１１５〜１１８のいずれかで受信され、ＨＤＭＩ信号処理部１０３に供給される。
このＨＤＭＩ信号処理部１０３は、ＨＤＭＩ規約に基づいて、入力されたデジタル信号から、映像信号と音声信号とを分離してそれぞれ信号切替部１０４に出力する。
また、ＨＤＭＩ信号処理部１０３は、外部機器１２からＨＤＭＩ準拠のケーブルを介して供給されるＣＥＣプロトコルに準拠した制御信号をＨＤＭＩ規約に基づいて解析し、解析結果を制御部１１１に出力する。
【００２３】
また、制御部１１１から外部機器１２へ出力される制御信号は、ＨＤＭＩ信号処理部１０３に供給される。このＨＤＭＩ信号処理部１０３は、供給された制御信号をＣＥＣプロトコルに準拠した制御信号へ変換して、ＨＤＭＩ端子１１５〜１１８およびＨＤＭＩ準拠のケーブルを介して外部機器１２宛に出力する。
【００２４】
信号切替部１０４は、放送信号処理部１０２からの出力、および、ＨＤＭＩ信号処理部１０３の出力を、制御部１１１からの制御に応じて選択的に切り替えて、デジタル映像信号およびデジタル音声信号をそれぞれ映像処理部１０６および音声処理部１０５に供給する。
【００２５】
この制御部１１１による切替制御は、テレビジョン放送信号が受信されているときには、放送信号処理部１０２を制御するとともに、放送信号処理部１０２から出力される映像信号および音声信号を選択するように信号切替部１０４を制御する。
また、制御部１１１による切替制御は、ＨＤＭＩ規格に準拠したデジタル信号の受信が選択されているときには、ＨＤＭＩ信号処理部１０３の動作設定を行うとともに、このＨＤＭＩ信号処理部１０３から出力される映像信号および音声信号を選択するように信号切替部１０４を制御する。
【００２６】
音声処理部１０５は、信号切替部１０４からのデジタル音声信号を音声出力部１０７に適した信号に変換して出力し、音声出力部１０７で音になって出力される。この音声出力部１０７はスピーカ等で構成される。
映像処理部１０６は、信号切替部１０４からのデジタル映像信号を映像出力部１０９に適した信号に変換して画面合成部１０８に出力する。この映像出力部１０９は、液晶表示装置等で構成される。
【００２７】
ＯＳＤ（On Screen Display）生成部１１０は、当該ＴＶ１１や外部機器１２を操作するためのメニューや操作状況等を制御部１１１から受信し、映像出力部１０９に表示可能な形態として画面合成部１０８へ出力する。
そして、画面合成部１０８は、映像処理部１０６から出力された映像信号とＯＳＤ生成部１１０から出力された映像信号を重畳し、映像出力部１０９で映像として映し出される。
【００２８】
次に、外部機器１２の概略構成について説明する。
図３は、本発明が適用される外部機器１２の概略構成を示すブロック図である。図３において、外部機器１２は、機能処理部１２２、信号切替部１２３、ＨＤＭＩ信号処理部１２１、制御部１２５、保存部１２４、ＨＤＭＩ端子１２６〜１３０から構成される。
【００２９】
ＨＤＭＩ端子１２６は、当該外部機器１２とＴＶ１１あるいはＴＶ１１側にある他の外部機器とをＨＤＭＩ準拠のケーブルで接続するための入出力端子である。
ＨＤＭＩ端子１２７〜１３０は、当該外部機器１２と他の外部機器をＨＤＭＩ準拠のケーブルで接続するための入出力端子である。
【００３０】
制御部１２５は、ＣＰＵ（Central Processing Unit）等を内蔵したマイクロプロセッサでなり、保存部１２４に記憶された制御プログラムや各種アプリケーションプログラムを実行することによって、当該外部機器１２における全体制御を行う。
【００３１】
保存部１２４は、制御部１２５で実行される制御プログラム、各種アプリケーションプログラムやデータを格納したり、制御プログラムや各種アプリケーションプログラムが実行時に一時的にデータ等を格納するために使われ、電源を切られたときにも維持する情報には不揮発性メモリを用い、一時的格納される情報には揮発性メモリを用いる。
【００３２】
ＨＤＭＩ端子１２７〜１３０を介して他の外部機器からの入力信号は、ＨＤＭＩ信号処理部１２１を介して信号切替部１２３へ入力される。
信号切替部１２３からの出力は、ＨＤＭＩ信号処理部１２１により、ＨＤＭＩ準拠した信号に変換して、ＨＤＭＩ端子１２６およびＨＤＭＩ準拠のケーブルを介してＴＶ１１宛に出力する。
【００３３】
また、当該外部機器１２宛の制御信号は、ＴＶ１１からの場合には、ＨＤＭＩ端子１２６を介して、また、他の外部機器からの場合には、ＨＤＭＩ端子１２７〜１３０のいずれかを介してＨＤＭＩ信号処理部１２１に供給される。
このＨＤＭＩ信号処理部１２１では、供給された制御信号をＨＤＭＩ規約に基づいて解析し、その解析結果を制御部１２５に出力する。
【００３４】
また、制御部１２５からＴＶ１１宛に出力される制御信号は、ＨＤＭＩ信号処理部１２１に供給される。このＨＤＭＩ信号処理部１２１は、供給された制御信号をＣＥＣプロトコルに準拠した制御信号へ変換して、ＨＤＭＩ端子１２６およびＨＤＭＩ準拠のケーブルを介してＴＶ１１宛に出力する。
【００３５】
機能処理部１２２は、制御部１２５の制御に基づいて当該外部機器１２の機能を実行する。例えば、当該外部機器がチューナ付のＳＴＢであれば、デジタルテレビジョン放送の音声信号や映像信号を、また、ＤＶＤであれば読み出された音声信号や映像信号をＨＤＭＩ信号処理部１２１に出力する。
【００３６】
制御部１２５は、ＣＥＣプロトコルによってＴＶ１１から信号切換制御コマンドを受信したときには、当該コマンドで指定された入力信号に切り換える指示を信号切替部１２３に出力する。
信号切替部１２３では、ＨＤＭＩ端子１２７〜１３０あるいは機能処理部１２２から受信した入力信号（音声信号および映像信号）のうち指定された入力信号だけを取り出し得て、ＴＶ１１へ送信するようにＨＤＭＩ信号処理部１２１へ出力する。
【００３７】
上記したＴＶ１１や外部機器１２ではＨＤＭＩ端子の数を４つとしていたが、これに限らず、任意個数設けるようにして構わない。
また、図４に示すように、ＴＶ１１側から見た末端の外部機器１，２，４，５，６，７，８は、ＨＤＭＩ、コンポーネントまたはコンポジットで接続されたゲーム機、オーディオ機器やＤＶＤ装置等であってもかまわない。
【００３８】
次に、メニュー生成部１１３について詳述する。
まず、ユーザが出力したい音声や映像の入力先を変更したいときには、リモコン１４０の入力切替ボタンを押す。
ＴＶ１１の制御部１１１では、入力切替ボタンが押下されると、メニュー生成部１１３を起動して入力切替先の選択項目の一覧からなるメニューを表示する。
【００３９】
例えば、図４に示したような外部機器が接続している場合、従来のＴＶ１１の入力切替先の機器を選択するためのメニューとしては、ＴＶ１１本体に直接接続された外部機器を入力切替先として図５に示すような選択項目がならんでいる。
図５の各選択項目は、左側の項目が順番号を示し、右側の項目がその入力端子に接続されている外部機器の名称を示している。
【００４０】
しかし、図４のように、ＴＶ１１本体に直接接続された外部機器に、さらに外部機器がＨＤＭＩ準拠のケーブルによって接続している場合には、本発明では、これらの外部機器についても入力切替先を選択するためのメニューに追加して表示する。
したがって、図４の接続状態では、図６に示すような選択項目がメニューにならぶことになる。図６の上４行の選択項目は、図５のＴＶ１１本体に直接接続された外部機器に関する項目であり、下の４行は、外部機器３に接続された外部機器に関する項目である。
【００４１】
このために、ＴＶ１１には、ＴＶ１１に備えられた各入力端子に対する情報として、入力端子テーブル（保存部１１２内に構成される）、および、ＨＤＭＩ準拠のケーブルで接続された外部機器に備えられた各入力端子に対する情報として、各外部機器ごとの入力端子テーブル（保存部１１２内に構成される）を保持する。
【００４２】
これらの各入力端子テーブルのフォーマットは、図７に例示したように、入力端子ごとに、各入力端子を識別するための端子ＩＤ、この入力端子に接続された外部機器の名称（機器のモデル名）、この入力端子に接続された外部機器との接続の種別、この入力端子に接続された外部機器からの情報（プラグ状態、入力されている信号の情報等）等からなるデータ形式を有している。
【００４３】
ここで、外部機器の名称が送られてこなかった場合には、外部機器から送られてきた端子の種別に連番を付与して生成する。入力端子の種別としては、ＨＤＭＩ、コンポーネントあるいはコンポジット等がある。また、プラグ状態は、接続状態にあるかまたは接続状態に無いかのいずれかである。
【００４４】
そして、各外部機器では、次の状態を制御部１２５が検知して、外部機器の入力端子の数、各入力端子の種別、各入力端子の情報（プラグ状態、入力されている信号の情報、入力端子に接続されている外部機器の名称（モデル名））を入力端子状態通知コマンドとして、ＨＤＭＩ信号処理部１２１によりＴＶ１１へと送信する。
【００４５】
（１）電源オン状態の外部機器がＨＤＭＩ準拠のケーブルで接続されたとき。
（２）ＨＤＭＩ準拠のケーブルで既に接続済みの外部機器に電源が入れられたとき。
（３）例えば、コンポジット入力端子にケーブルが接続されたときのように、外部機器自体の入力端子に接続された外部機器の状態が変化したとき。
（４）例えば、コンポーネント端子から入力されている信号の同期周波数が変化したときのように、外部機器自体において同期状態が変化したとき。
【００４６】
ＴＶ１１の制御部１１１は、各外部機器から送られてきた入力端子状態通知コマンドを受け取ると、送り元の外部機器に対応する入力端子テーブルへ入力端子の種別、入力端子の情報を各入力端子に対応付けて記憶更新する。
ここで、制御部１１１は、初めて入力端子状態通知コマンドを受信した外部機器に対しては、この外部機器から物理アドレスを取得すると共に、この外部機器に対応する新たな入力端子テーブルを生成して、受信した入力端子の種別、入力端子の情報を各入力端子に対応付けて記憶する（図８（Ａ））。
【００４７】
ＴＶ１１においても、上記の外部機器と同様に、各入力端子に対する入力端子テーブルを設定する（図８（Ｂ））。
【００４８】
メニュー生成部１１３では、起動されると、次の処理を行って、入力切替先のメニューを作成する。
まず、ＴＶ１１に備えられた各端子に対する入力端子テーブルを参照して、プラグ状態が接続状態である入力端子を探し、この入力端子に接続した外部機器の名称を取り出して一覧表を作成する。
【００４９】
そして、ＴＶ１１にＨＤＭＩ接続した各外部機器の入力端子テーブルについても、同様にして、接続状態である入力端子に接続した外部機器の名称を取り出して一覧表を作成する。
最後に、これらの各一覧表を連結して、１つの一覧表として生成する。
【００５０】
その後、制御部１１１は、メニュー生成部１１３で生成された一覧表からＯＳＤ生成部１１０により入力切替メニュー（図６）を生成し、この入力切替メニューと入力信号とを画面合成部１０８により合成して、映像出力部１０９で入力切替メニューを表示させる。
【００５１】
そして、ユーザがリモコン１４０を使って、このような入力切替メニューの中から所望の項目を選択すると、制御部１１１は、選択された項目がＴＶ１１本体に備えられた入力端子に接続された外部機器である場合には、この外部機器からの入力信号へ切り替えるように信号切替部１０４に対して指示信号を出力する。
【００５２】
また、選択された項目がＴＶ１１本体に備えられた入力端子に接続された外部機器でない場合には、次のような処理を行う。
いま、選択された項目の外部機器の名称を外部機器Ｂとし、この外部機器Ｂが接続されている外部機器の名称を外部機器Ａとする。即ち、外部機器Ａの入力端子に外部機器Ｂが接続しているとする。
【００５３】
選択された項目が外部機器Ｂである場合、この外部機器Ｂが接続している外部機器Ａに対して、外部機器Ｂの入力信号へ切り替えるように、信号切換制御コマンドを出力する。
信号切換制御コマンドを受け取った外部機器Ａの制御部１２５は、信号切替部１２３に対して信号切換制御コマンドで指示された入力信号に切り替えるように指示信号を出力する。
また、ＴＶ１１本体の制御部１１１は外部機器Ａからの入力信号へ切り換えるように信号切替部１０４に対して指示信号を出力する。
【００５４】
以上の結果により、ＴＶ１１の音声出力部１０７および映像出力部１０９には、指定された外部機器からの入力信号が出力されるので、外部機器の入力信号をあたかもＴＶ１１の入力信号であるかのように扱うことができる。
【００５５】
尚、本発明は上述した実施形態に限定されず、本発明の要旨を逸脱しない範囲内で各種の変形、修正が可能であるのは勿論である。
例えば、上記の実施形態では、映像表示装置と外部機器とをＨＤＭＩ準拠のケーブルで接続するものとして説明したが、映像表示装置と外部機器間で、映像音声信号の伝送および双方向のデータ通信が行えるインタフェース、例えば、ＤＶＩ（Digital Visual Interface）あるいはＩＥＥＥ１３９４に準拠したインタフェースであれば適用することができる。
【図面の簡単な説明】
【００５６】
【図１】実施形態のテレビジョン放送受信装置の利用形態を示す図である。
【図２】本発明が適用されるテレビジョン放送受信装置の概略構成を示すブロック図である。
【図３】本発明が適用される外部機器の概略構成を示すブロック図である。
【図４】メニュー生成部を説明するための映像表示システムの構成を示す図である。
【図５】従来技術における入力切替メニューを示す例である。
【図６】本発明における入力切替メニューを示す例である。
【図７】入力端子テーブルのデータ構造例である。
【図８】各入力端子テーブルから生成される外部機器名の一覧表例である。
【符号の説明】
【００５７】
１１…テレビジョン放送受信装置（ＴＶ）、１２〜１５…外部機器、１６〜１９…ケーブル、１０１…アンテナ接続端子、１０２…放送信号処理部、１０３…ＨＤＭＩ信号処理部、１０４…信号切替部、１０５…音声処理部、１０６…映像処理部、１０７…音声出力部、１０８…画面合成部、１０９…映像出力部、１１０…ＯＳＤ生成部、１１１…制御部、１１２…保存部、１１３…メニュー生成部、１１４…ユーザ入力受付部、１１５〜１１８…ＨＤＭＩ端子、１４０…リモコン、１２１…ＨＤＭＩ信号処理部、１２２…機能処理部、１２３…信号切替部、１２４…保存部、１２５…制御部、１２６〜１３０…ＨＤＭＩ端子。
【図１】
2009135846.tif 000003
【図２】
2009135846.tif 000004
【図３】
2009135846.tif 000005
【図４】
2009135846.tif 000006
【図５】
2009135846.tif 000007
【図６】
2009135846.tif 000008
【図７】
2009135846.tif 000009
【図８】
2009135846.tif 000010